(57)【特許請求の範囲】
【請求項１】
少なくとも１つのホイールが１つのホイール側電子機器（３ａ〜３ｄ）を備えている、車両（１）の複数のホイール（２ａ〜２ｄ）を位置特定する方法であって、
車両側で、
前記ホイール側電子機器から、ホイールが第１の回転角度位置（α）に位置した時点（ｔ0）の推定が可能である信号（７）を受信するステップ（Ｓ３）と、
前記信号に基づき、第１の回転角度情報（ｔ0）を生成するステップ（Ｓ４）と、
前記車両のそれぞれ所定の位置に対応付けられている複数のセンサ（４ａ〜４ｄ）によって、前記複数のホイールの第２の回転角度位置（β1〜β4）を検出するステップ（Ｓ５）と、
前記第２の回転角度位置（β1〜β4）に基づいて、第２の回転角度情報（ｔa〜ｔd）を供給するステップ（Ｓ６）と、
前記第１の回転角度情報（ｔ0）と前記第２の回転角度情報（ｔa〜ｔd）とを比較するステップ（Ｓ７）と、
前記比較に依存して、前記ホイール側電子機器に対応付けられているホイールを位置特定するステップ（Ｓ８）とが実施され、但し、
前記信号（７）は、時間をずらして受信される複数のパケット（７ａ〜７ｃ）からなり、
前記第１の回転角度情報（ｔ0）を生成するステップ（Ｓ４）は、前記複数のパケット（７ａ〜７ｃ）の１つに基づいて、前記ホイールが第１の回転角度位置（α）に位置した時点（ｔ0）を求めるステップを含んでおり、
さらに車両側で、
複数のパケット間で少なくとも１つの時間間隔（ｄｔ1，ｄｔ2）を求めるステップ（Ｓ９，Ｓ１１）と、
前記求められた少なくとも１つの時間間隔（ｄｔ1，ｄｔ2）に基づいて、少なくとも１つの時間間隔に対する少なくとも１つの推定値を供給するステップ（Ｓ１０，Ｓ１２）とが実施され、
前記各パケット（７ａ〜７ｃ）は、複数のパケットの１つのシーケンスの中での当該パケットのランクを示す番号を有しており、さらに、受信した信号が、第１のパケット（７ａ）を含んでいない場合に、少なくとも１つの時間間隔に対する少なくとも１つの推定値と、１つのパケットの前記番号とに基づいて、前記ホイールが第１の回転角度位置（α）に位置した時点（ｔ0）を求めるステップが実施され、
前記少なくとも１つの推定値を供給するステップ（Ｓ１２）は、
現下の周期中に求められた少なくとも１つの時間間隔と、０から１の間にある所定値との乗算による第１の積を算出するステップと、
先行周期の推定値と、１から前記所定値を減じた値との乗算により、第２の積を算出するステップであって、前記先行周期は、時間的に見て特に現下の周期の直前に存在した周期であるステップと、
前記第１及び第２の積の加算により、現下の周期の推定値を算出するステップと
を含む、
ことを特徴とする方法。
【請求項２】
ホイール側電子機器側で、
前記ホイール側電子機器が対応付けされているホイールの第１の回転角度位置を検出するステップ（Ｓ１）と、
ホイールが第１の回転角度位置（α）に位置した時点（ｔ0）の推定が可能な信号（７）を送信するステップ（Ｓ２）とが実施される、請求項１記載の方法。
【請求項３】
前記複数のパケット間の少なくとも１つの時間間隔を求めるステップは、多重に実施され、複数の求められた時間間隔が記憶される、請求項１又は２記載の方法。
【請求項４】
前記方法は、順次連続する複数の周期において実施され、最も新しいｎ周期の時間間隔だけが記憶される、請求項３記載の方法。
【請求項５】
前記少なくとも１つの推定値を供給するステップは、記憶されている複数の時間間隔から少なくとも１つの平均値を形成するステップを含んでいる、請求項３又は４記載の方法。
【請求項６】
前記複数のパケット間の少なくとも１つの時間間隔を求めるステップは、受信した信号が、全ての予期されるパケットを含んでいる場合にのみ実施される、請求項１から５いずれか１項記載の方法。
【請求項７】
少なくとも１つのホイールが１つのホイール側電子機器（３ａ〜３ｄ）を備えている、車両（１）の複数のホイール（２ａ〜２ｄ）を位置特定する装置（５，８）であって、
前記ホイール側電子機器から、ホイールが第１の回転角度位置（α）に位置した時点（ｔ0）の推定が可能である信号を受信する第１の受信ユニット（９）と、
前記信号に基づき、第１の回転角度情報（ｔ0）を生成する第１の処理ユニット（１０）と、
前記車両のそれぞれ所定の位置に対応付けられている複数のセンサ（４ａ〜４ｄ）によって測定された前記複数のホイールの第２の回転角度位置（β1〜β4）を受信する第２の受信ユニット（１３）と、
前記第２の回転角度位置（β1〜β4）に基づいて、第２の回転角度情報（ｔa〜ｔd）を供給する第２の処理ユニット（１４）と、
前記第１の回転角度情報（ｔ0）と複数の第２の回転角度情報（ｔa〜ｔd）とを比較する比較ユニット（１５）と、
前記比較ユニットの結果に依存して、前記ホイール側電子機器に対応付けられているホイールを位置特定する位置特定ユニット（１６）とを備え、
前記第１の受信ユニット（９）は、時間をずらして受信される複数のパケット（７ａ〜７ｃ）からなる信号を受信するように構成されており、
前記第１の処理ユニット（１０）は、前記ホイールが第１の回転角度位置（α）に位置した時点（ｔ0）を、前記複数のパケットの１つに基づいて求めるように構成されており、
さらに前記装置は、
複数のパケット間で少なくとも１つの時間間隔（ｄｔ1，ｄｔ2）を求める間隔算出装置（１１）と、
前記求められた少なくとも１つの時間間隔（ｄｔ1，ｄｔ2）に基づいて、少なくとも１つの時間間隔に対する少なくとも１つの推定値を供給する推定装置（１２）とを備えており、
前記各パケット（７ａ〜７ｃ）は、複数のパケットの１つのシーケンスの中での当該パケットのランクを示す番号を有しており、さらに、受信した信号が、第１のパケット（７ａ）を含んでいない場合に、前記第１の処理ユニット（１０）は、少なくとも１つの時間間隔に対する少なくとも１つの推定値と、１つのパケットの前記番号とに基づいて、前記ホイールが第１の回転角度位置（α）に位置した時点（ｔ0）を求めるように構成されており、
前記推定装置（１２）は、
現下の周期中に求められた少なくとも１つの時間間隔と、０から１の間にある所定値との乗算による第１の積を算出し、
先行周期の推定値と、１から前記所定値を減じた値との乗算により、第２の積を算出し、ここで、前記先行周期は、時間的に見て特に現下の周期の直前に存在した周期であり、
前記第１及び第２の積の加算により、現下の周期の推定値を算出する、
ように構成されている、
ことを特徴とする装置。
【請求項８】
請求項７記載の装置を備えていることを特徴とするタイヤ空気圧監視システム。
【発明の詳細な説明】
【技術分野】
【０００１】
本発明は、少なくとも１つのホイールがホイール側電子機器を備えている、車両の複数のホイールを位置特定する方法および装置に関する。さらに本発明は、そのような装置を備えたタイヤ空気圧監視システムに関する。
【背景技術】
【０００２】
直接測定方式のタイヤ空気圧監視システムは従来技術からも公知であり、このシステムは、少なくとも１つのホイールが直接測定式の電子機器を備える特徴を有する。全てのホイールが、対応するデータを車両側受信器に送信するホイール側電子機器を備えているのならば、どのホイールから、詳細にはどのホイール位置からデータが送信されたかを運転者に指示できることが望まれる。そうすることで、空気圧の損失が検出された場合に、車両に備わるホイールのうちのどれが空気圧を失ったかを、運転者に直接伝えることが可能になる。
【０００３】
従来技術、例えば国際公開第２０１０／０３４７０３号パンフレット、国際公開第２０１１／０８５８７７号パンフレット、及び米国特許第８３３２１０４号明細書からは、ＡＢＳシステムやＥＳＰシステムによる測定が可能となるように、ホイール側電子機器の角度位置を、ホイール角度位置との比較において、比べることにより、ホイール側電子機器の位置特定を達成する方法が公知である。ホイール側電子機器から送信される個々のパケットは、例えば、車両ボディによるシールドによって車両側の受信器まで到達しない場合があるので、例えば米国特許第８３３２１０４号明細書からは、複数のパケットを時間的にずらして送信することが公知である。例えば、最初のパケットの受信に失敗した場合でも、第２のパケットと既知の遅延時間とを用いることで最初のパケットの送信時点を逆算することが可能である。ここでは同一の複数のパケットの送信が行われ、それによって得られる冗長性により、個々のパケットの補填が可能となる。
【０００４】
そのような従来技術から出発して本発明の課題は、より改善された精度ないしはより迅速な収束を有する、車両の複数のホイールの位置付のための手段を提供することにある。
【０００５】
この課題は、独立請求項の特徴部分に記載された本発明によって達成される。従属請求項には、本発明の有利な実施形態が記載される。
【０００６】
これにより本発明は、少なくとも１つのホイールがホイール側電子機器を備えている車両の複数のホイールを位置特定する方法を含む。この場合車両側では、以下のステップが実施される。まず、ホイール側電子機器からの信号が受信され、ホイールが第１の回転角度位置をとった時点が推定される。この信号に基づき、第１の回転角度情報が生成される。前記複数のホイールの第２の回転角度位置は、車両のそれぞれの所定位置に対応付けられているセンサによって検出される。第２の回転角度情報は、第２の回転角度位置に基づいて供給される。この第２の回転角度情報は前記第１の回転角度情報と比較される。この比較に依存して、ホイール側電子機器が対応付けられているホイールが位置特定される。この方法における信号は、時間をずらして受信された複数のパケットから形成される。その際第１の回転角度情報を生成するステップには、複数のパケットの１つに基づいてホイールが第１の回転角度位置に位置した時点を検出するステップが含まれる。さらに車両側では、複数のパケット間で少なくとも１つの時間間隔が求められ、この求められた少なくとも１つの時間間隔に基づいて、少なくとも１つの時間間隔に対する少なくとも１つの推定値が供給される。
【０００７】
複数のパケット間の少なくとも１つの時間間隔の算出と、この算出された少なくとも１つの時間間隔に基づく、少なくとも１つの時間間隔に対する少なくとも１つの推定値の供給とによって、ホイール側電子機器のクロックの不精度を補償することができる。その結果として、車両の複数のホイールをより正確に位置特定する方法が得られ、この方法はより迅速に収束する。それによりこれらのホイールは、より迅速に位置特定可能となる。
【０００８】
ホイール側電子機器では、前記方法は次のステップを実施する。すなわち、ホイール側電子機器に対応付けられたホイールの第１の回転角度位置を検出するステップであって、ホイールが第１の回転角度位置をとった時点の推論を可能にする信号を送信するステップが実施される。
【０００９】
この方法の一実施形態によれば、各パケットは、複数のパケットの１つのシーケンスの中で当該パケットがどのランクをとっているかを示す番号を有している。受信した信号が、第１のパケットを含んでいない場合には、少なくとも１つの時間間隔に対する少なくとも１つの推定値と、パケットの前記番号とに基づいて、ホイールが第１の回転角度位置をとった時点を求めるステップが実施される。
【００１０】
このようにして、少なくとも１つの推定値と、選択されたパケットの番号とを用いることで、ホイールが第１の回転角度位置をとった時点が逆算可能になる。
【００１１】
複数のパケット間の少なくとも１つの時間間隔を求めるステップは、多重に実施することが可能であり、求められた時間間隔を相応に記憶することも可能である。
【００１２】
一実施形態によれば、前記方法は、複数の順次連続する周期で実施され、最も新しいｎ周期の時間間隔だけが記憶される。但し前記ｎは特に自然数であり得る。この記憶は、例えば環状バッファを用いて実現されてもよい。これにより所要メモリスペースが低減される。
【００１３】
少なくとも１つの推定値を供給するステップは、格納されている複数の時間間隔からの少なくとも１つの平均値を形成するステップを含んでいてもよい。格納されているこれらの時間間隔は、このケースでも平均化され、そのようにして堅固な推定値が生成される。
【００１４】
一実施形態によれば、少なくとも１つの推定値を供給するステップは、次のステップを含む。すなわち、現下の周期で求められた少なくとも１つの時間間隔と、０〜１の間にある所定値との乗算により第１の積が計算される。それと前後して、又は、それと同時に、第２の積は、先行周期の推定値×（１−前記所定値）の計算（乗算）により算出することが可能である。この先行周期とは、特に時間的に見て、現在の周期の直前に存在した先行期間を指す。したがって、現在の周期の推定値は、前記第１の積と第２の積の加算によって算出することが可能である。本実施形態によれば、記憶スペースの最小化が図られる。なぜなら少なくとも１つの推定値は、１つの周期の間しか記憶されないからである。
【００１５】
複数のパケット間の少なくとも１つの時間間隔を求めるステップは、一実施形態によれば、受信信号が、期待される全てのパケットを含んでいる場合にのみ実施される。このようにして、いくつかのパケットの欠落に起因する誤った時間間隔の計算は回避されるべきである。
【００１６】
さらに本発明は、少なくとも１つのホイールがホイール側電子機器を備えている車両の複数のホイールを位置特定する装置に関している。この本発明による装置は、ホイール側電子機器からの信号を受信する第１の受信ユニットを有しており、前記信号は、ホイールが第１の回転角度位置に位置した時点の推定を可能にする。第１の処理ユニットは、前記信号に基づいて第１の回転角度情報を生成するのに用いられる。本発明による装置の第２の受信ユニットは、車両におけるそれぞれの所定の位置に対応付けられたセンサによって測定されるホイールの第２の回転角度位置受信のために使用される。さらに本発明による装置は、第２の回転角度位置に基づいて第２の回転角度情報を供給する第２の処理ユニットを含む。比較ユニットは、前記第１の回転角度情報と前記第２の回転角度情報を比較するように構成されている。位置特定ユニットは、前記比較ユニットの結果に依存して、ホイール側電子機器に対応付けられたホイールを位置特定するために使用される。前記第１の受信ユニットは、時間的にずれて受信される、複数のパケットからなる信号を受信するように構成されている。前記第１の処理ユニットは、ホイールが第１の回転角度位置をとった時点を、複数のパケットの１つに基づいて求めるように構成されている。さらに本発明による装置は、複数のパケット間の少なくとも１つの時間間隔求めるための時間間隔算出装置を含む。さらに本発明による装置は、求められた少なくとも１つの時間間隔に基づいて、少なくとも１つの時間間隔に対する少なくとも１つの推定値を供給する推定装置を含む。
【００１７】
さらに本発明は、本発明による装置を備えたタイヤ空気圧監視システムを含む。
【００１８】
本発明は、方法並びに装置に関連して説明されている。特に断りがない限り、本発明による方法の特徴は、本発明による装置にも同様に適用可能である。このことは、特に装置が、説明された方法ステップの実施に対応する手段を有していることを意味する。明細書を不要に長くしないようにするために、これらの手段の説明の繰り返しは省くが、それにも係わらずそれらの手段の開示は有効である。
【００１９】
以下では本発明の実施形態のさらなる利点及び詳細を、図面に基づき詳細に説明する。
【図面の簡単な説明】
【００２０】
【図１ａ】車両の側面図
【図１ｂ】タイヤ空気圧監視システムの主要な構成要素を概略的に示した車両底面図、
【図２】ホイール側電子機器を備えたホイールを示した図
【図３】複数のパケットからなる信号を示した図
【図４ａ】本発明による装置の一実施形態を示した図
【図４ｂ】本発明による比較と位置特定を説明するための概略図
【図５】本発明による方法の実施形態の各ステップを示したフローチャート
【図６】本発明による方法のさらなる実施形態のさらなるステップを示したフローチャート
【図７】本発明による方法のさらなる実施形態のさらなるステップを示したフローチャート
【００２１】
以下の明細書では、特に他の指定がない限り、同一の要素並びに機能的に同一の要素には、同じ符号が付される。
【００２２】
図１ａには、車両１が側面図で示されている。ここでは２つのホイール２ｂ，２ｄが認められる。同じ車両は、図１ｂにおいて底部から見た図が示されており、ここではタイヤ空気圧監視システムの主要な構成要素が示されている。４つのホイール２ａ乃至２ｄはそれぞれホイール側電子機器３ａ乃至３ｄを有している。前記ホイール２ａ乃至２ｄには、それぞれ車載センサ４ａ乃至４ｄが対応付けられている。これらのセンサは、例えば、ＡＢＳセンサまたはＥＳＰセンサであってもよい。これらのセンサ４ａ乃至４ｄは、本発明による装置５の一実施形態に接続されている。この装置は、とりわけ、ホイール側電子機器３ａ乃至３ｄから信号を受信するように構成されている。
【００２３】
図２は、再びホイール２ａの側面図を示しており、ここではホイール２ａが地面６上を転がったときに、ホイール側電子機器３ａが当該ホイールと共に回転することが見て取れる。
【００２４】
ホイール側電子機器３ａは、信号７を送信する。この信号７は、図３に示されているように、複数のパケット７ａ，７ｂ及び７ｃを含む。ホイール側電子機器３ａは、複数のパケットを送信する。なぜなら車両側に配設されている受信ユニットは、たとえばボディパネルによる遮蔽が原因で１つ若しくは複数のパケットを受信できなくなる可能性があるからである。下方のスケールには時間ｔがプロットされている。時点ｔ0では、ホイールは第１の回転角度位置を通過する。この場合例えば、この第１の回転角度位置は、ホイール上の最高位置（０°）であり、又は、タイヤ接地面の中心（１８０°）であり、又は、タイヤ接地面への進入点若しくはタイヤ接地面からの脱出点である。遅延時間ｄｔ0の後で、第１のパケット７ａが送信される。この遅延時間ｄｔ0は予め若しくは動作中にホイール側電子機器によって定められる。第１のパケット７ａは、時点ｔ1において車両側で完全に受信される。第１のパケット７ａと第２のパケット７ｂとの間の間隔はｄｔ1である。第２のパケット７ｂと第３のパケット７ｃとの間の間隔はｄｔ2である。第２のパケット７ｂは、時点ｔ2において完全に受信される。第３のパケット７ｃは、時点ｔ3において完全に受信される。前記パケット間の間隔ｄｔ1及びｄｔ2は連続的に測定され、それらをベースにしてこれらの間隔に対する推定値が供給される。遅延時間ｄｔ0は、ホイール側電子機器クロックを基準として既知である。この遅延時間ｄｔ0は、ホイール側電子機器クロックを基準としたホイール側電子機器により既知の第１及び第２のパケット間の間隔と比較した、車両側で推定された間隔ｄｔ1の関係性から、何らかのクロックずれに対する適応化が可能である。遅延時間ｄｔ0と、間隔ｄｔ1，ｄｔ2、並びにパケット７ａ，７ｂ，７ｃに対する送信持続時間がわかっていれば、例えば、第３のパケットの受信時点ｔ3から、ホイールが第１の回転角度位置をとった時点ｔ0を逆算することが可能になる。時点ｔ2から時点ｔ0を推定するためには、間隔ｄｔ0と、ｄｔ1、並びにパケット７ａ，７ｂに対する送信持続時間だけがわかっていればよい。本発明は、３つのパケットを有する信号に限定されるものではない。それどころか、その数が少なくとも２である限り、任意の数のパケットが利用可能である。
【００２５】
ホイール側電子機器クロックの不精度の問題は、間隔ｄｔ1に基づいて明らかにされる。市販のクロックは、大体において２％から５％の不精度を有している。以下の例では、５％の不精度を想定して説明する。ここでは間隔ｄｔ1を２００ｍｓと想定し、車両は毎時１５０ｋｍの速度で移動しているものとするならば、５％のクロック不精度は、７５°の角度不精度αに相当する。これは、以下の関係式、
角度不精度α＝（クロック不精度％×ｄｔ1×速度×３６０°）／タイヤ周長
から得られる。但し前記タイヤ周長は２ｍとする。７５°の角度不精度は、位置特定が通常よりも長くかかることになり、状況によっては全く収束しない結果にもつながる。例えば、米国特許第８，３３２，１０４号明細書においては、間隔ｄｔ1とｄｔ2が車両側の制御ユニット内に恒久的にプログラミングされている。つまりそれらは、時間間隔に対する現下の推定値を供給するために、定期的に求められるものではない。したがって、米国特許第８，３３２，１０４号明細書に記載のやり方では、当該方法が緩慢にしか収束しないことにつながる上記のような角度不精度が発生する。
【００２６】
図４ａは、少なくとも１つのホイールがホイール側電子機器を備えている、車両の複数のホイールを位置付けする装置の一実施形態が示されている。図示の装置８は、ホイール側電子機器からの信号を受信する第１の受信ユニット９を含み、この信号は、ホイールが第１の回転角度位置をとった時点ｔ0を推定することが可能である。前記第１の受信ユニット９は、複数のパケットからなる、時間的にずらされて受信される、信号を受信するように構成されている。その上さらに前記装置８は、この信号に基づいて第１の回転角度情報を生成する第１の処理ユニット１０を含んでいる。この第１の処理ユニット１０は、複数のパケットの１つに基づいて、ホイールが第１の回転角度位置に位置した時点ｔ0を求めるように構成されている。この目的のために、第１の処理ユニット１０は、複数のパケット間の少なくとも１つの時間間隔を求めるための間隔算出装置１１と、算出された少なくとも１つの時間間隔に基づいて、少なくとも１つの時間間隔の少なくとも１つの推定値を供給するための推定装置１２とに接続されている。
【００２７】
さらに前記装置８は、車両の各所定の位置に対応付けられているセンサによって測定されたホイールの回転角度位置を受信する第２の受信ユニット１３を含んでいる。前記センサは、例えばＡＢＳセンサやＥＳＰセンサであってよい。第２の処理ユニット１４は、第２の回転角度位置に基づいて、第２の回転角度情報を供給する。この時点は、センサから見て対応付けられたホイールが第２の角度位置をとる時点、好ましくは、第１の回転角度位置に対応する時点であり得る。
【００２８】
比較ユニット１５は、第１の処理ユニット１０の第１の回転角度情報と、第２の処理ユニット１４の第２の回転角度情報とを使用してこれらの情報を相互に比較する。比較ユニット１５の結果に依存して、位置特定ユニット１６は、ホイール側電子機器に対応付けられたホイールを位置特定する。
【００２９】
以下ではこの比較と位置特定の一実施形態を、図４ｂに基づいて詳細に説明する。この図４ｂの上方には、ちょうど第１の回転角度位置αにあるホイール側電子機器３ｃを備えたホイール２ｃが示されている。第１の回転角度情報は、ホイール側電子機器３ｃが第１の回転角度位置αに存在したときを示す。すなわち図示の例では、この第１の回転角度情報は、ｔ0に相当する。図４ｂの中央には、４つのホイール２ａ乃至２ｄのそれぞれに対するタイムバーがプロットされている。バーＢ１は、ホイール２ａが時点ｔaにて第２の回転角度位置にあったことを示している。相応にバーＢ２は、ホイール２ｂが時点ｔbにて第２の回転角度位置にあったことを示す。バーＢ３及びバーＢ４は、ホイール２ｃ及びホイール２ｄに対応している。ホイール２ｃは、時点ｔcにて第２の回転角度位置をとっており、それに対してホイール２ｄは、時点ｔdにて第２の回転角度位置をとっている。
【００３０】
図４ｂの下方には、時点ｔ0でのホイール２ａ〜２ｄが、それらのホイール側電子機器３ａ〜３ｄと共に示されている。ホイール側電子機器３ａは、時点ｔ0ではまだ第２の回転角度位置β1の前に存在している。したがって、ホイール側電子機器３ａは、バーＢ１に示されているように、時点ｔ0の後に当該回転角度位置を通過する。ホイール側電子機器３bは、第２の回転角度位置β2を既に通過している。ホイール側電子機器３ｃは、車両の対応する位置に固定的に対応付けられているセンサの観点から見て、時点ｔ0では、ほぼ正確に第２の回転角度位置β3に存在している。ホイール側電子機器３dは、時点ｔ0で既に第２の回転角度位置β4を最も長く通過している。
【００３１】
図４ｂから見て取れるように、時点ｔcは、時間ｔ0に最も近いので、相応の比較によって、受信した信号を送信したホイール側電子機器は、ホイール２ｃに対応付けられたホイール側電子機器３ｃであることが推論できる。ｔ0とｔcの間のずれは、この場合特に測定不精度から生じ得る。したがって、第１の回転角度情報ｔ0と第２の回転角度情報ｔa〜ｔdとを用いた比較によってホイールを相応に位置特定することが可能になる。
【００３２】
図５は、本発明による方法の実施形態のステップを示している。ステップＳ１では、まずホイール側電子機器が対応付けられているホイールの第１の回転角度位置が検出される。ステップＳ２では、ホイール側電子機器から信号が車両側の受信器に送信される。この信号はホイールが第１の回転角度位置をとった時点を推定可能にさせる。この信号は、ステップＳ３で受信される。
【００３３】
ステップＳ４では、前記信号に基づいて、第１の回転角度情報が生成される。このステップには、ホイールが第１の回転角度位置をとった時点を求めることも含まれる。この目的のために、複数のパケットの１つから始められる。ステップＳ５では、車両の各所定の位置に対応付けられたセンサによって複数のホイールの第２の回転角度位置が検出される。これらの第２の回転角度位置に基づいて、第２の回転角度情報が供給される（ステップＳ６）。それに続いてステップＳ７では、第１の回転角度情報と複数の第２の回転角度情報とを用いた比較が行われ、ステップＳ８では、この比較に依存して、ホイール側電子機器に対応付けられているホイールが位置特定される。
【００３４】
図６には、本発明による方法に対して１つの推定値を供給するルーチンの一実施形態が示されている。まず、ステップＳ９において、受信した複数のパケット間の時間間隔が求められる。ステップＳ１０では、求められた少なくとも１つの時間間隔に基づいて、少なくとも１つの時間間隔に対する少なくとも１つの推定値が供給される。
【００３５】
この推定値を用いることで、前述の時点が、第１の回転角度情報の生成ステップＳ４において、少なくとも１つの時間間隔に対する少なくとも１つの推定値と、パケットの番号とに基づいて起こり得る。
【００３６】
図７には、本発明による方法に対して推定値を供給するルーチンのさらなる実施形態が示されている。まずステップＳ１１において現下の周期ｔにおける現下の時間間隔Ａtが求められる。ステップＳ１２では、この現下の時間間隔Ａtに基づいて、以下の関係式に基づき、
Ｓt＝Ａt×γ＋Ｓt-1×（１−γ）
現下の周期の推定値Ｓtが求められる。但し前記Ａtは、既に上述したように、現下の周期における現下の時間間隔を表し、前記Ｓt-1は、先行する周期の推定値を表す。前記γは、０と１の間の値を表している。現下の周期における現下の時間間隔Ａtは、現下の周期の推定値Ｓtにおいて、先行周期の推定値Ｓt-1に対する補正係数として重み付けされて関連付けられる。このようにして、各周期においてそれぞれ相応に更新される１つの推定値だけを記憶するだけでよい。
【００３７】
本発明の方法によれば、パケットの各々を、ホイールが第１の回転角度位置をとった時点を推定するために使用することができる。その際時間間隔は繰り返し求められてもよく、それによりホイールユニットのクロック間の偏差とそれらの不精度とが補償される。このようにして、車両の複数のホイールの迅速な位置特定を達成することができる。
【００３８】
図面に基づいて行ってきた前記説明は単なる例示であり、限定を意味するものではない。前述してきた実施形態においては、添付の特許請求の範囲において特定される権利範囲を逸脱することなく、多くの変更を行うことが可能である。
【符号の説明】
【００３９】
１        車両
２ａ〜２ｄ  ホイール
３ａ〜３ｄ  ホイール側電子機器
４ａ〜４ｄ  車両の所定の位置に対応付けられているセンサ
５          車両の複数のホイールを位置特定する装置
６          地面
７          信号
７ａ〜７ｃ  パケット
ｔ0        ホイールが第１の回転角度位置をとった時点
ｔ1        第１のパケットの受信時点
ｔ2        第２のパケットの受信時点
ｔ3        第３のパケットの受信時点
ｄｔ0      ｔ0と第１のパケットの送信開始時点との間の間隔
ｄｔ1      第１のパケットと第２のパケットの間の間隔
ｄｔ2      第２のパケットと第３のパケットの間の間隔
８        本発明による装置の実施形態
９        第１の受信ユニット
１０      第１の処理ユニット
１１      間隔算出装置
１２      推定装置
１３      第２の受信ユニット
１４      第２の処理ユニット
１５      比較ユニット
１６      位置特定ユニット
α        第１の回転角度位置
β1〜β4  第２の回転角度位置
Ｂ１〜Ｂ４  対応するホイールが第２の回転角度位置をとった時点を表したバー
ｔa〜ｔd  第２の回転角度情報
Ｓ１      第１の回転角度位置を検出するステップ
Ｓ２      信号を送信するステップ
Ｓ３      信号を受信するステップ
Ｓ４      第１の回転角度情報を生成するステップ
Ｓ５      第２の回転角度位置を検出するステップ
Ｓ６      第２の回転角度情報を供給するステップ
Ｓ７      第１の回転角度情報と第２の回転角度情報を比較するステップ
Ｓ８      位置特定するステップ
Ｓ９      複数のパケット間の少なくとも１つの時間間隔を求めるステップ
Ｓ１０    少なくとも１つの時間間隔に対する少なくとも１つの推定値を供給するステップ
Ｓ１１    複数のパケット間の少なくとも１つの時間間隔を求めるステップ
Ｓ１２    少なくとも１つの時間間隔に対する少なくとも１つの推定値を供給するステップ
【図１ａ】
0006391679.tif 000002
【図１ｂ】
0006391679.tif 000003
【図２】
0006391679.tif 000004
【図３】
0006391679.tif 000005
【図４ａ】
0006391679.tif 000006
【図４ｂ】
0006391679.tif 000007
【図５】
0006391679.tif 000008
【図６】
0006391679.tif 000009
【図７】
0006391679.tif 000010